(57)【特許請求の範囲】
【請求項１】
環状棒、及び前記環状棒の下端に着脱され、多数の移動用車輪が備えられたベースを含むスタンドと、
本体の一側に形成された半円状の溝が前記環状棒に挟められて前記ベースの上面に載置され、バッテリーが接続される多数のスロットが備えられたパワーステーションと、
前記スロットに結合されるバッテリーパックと、
前記環状棒の上部に結合され、前記パワーステーションに連結されて電源を受けるモニターと、を含む移動式医療用モニター。
【請求項２】
前記パワーステーションには着脱可能な電源コードが備えられ、前記電源コードが外部電源に連結されると、前記スロットに挟められたバッテリーパックの充電が行われることを特徴とする、請求項１に記載の移動式医療用モニター。
【請求項３】
前記パワーステーションには、その内部に備えられた弾性部材の復元力によって自動的に巻かれる電源コードが備えられ、前記電源コードが外部電源に連結されると、前記スロットに挟められたバッテリーパックの充電が行われることを特徴とする、請求項１に記載の移動式医療用モニター。
【請求項４】
前記モニターと前記パワーステーションの電気的連結は、前記環状棒の内部に形成された空間を通して行われることを特徴とする、請求項１に記載の移動式医療用モニター。
【請求項５】
前記多数のスロットは、開閉されるカバーによって保護される前記パワーステーションの内部空間に配置されたことを特徴とする、請求項１に記載の移動式医療用モニター。
【請求項６】
前記多数のスロットは、前記パワーステーションの左右方向に二つ備えられることを特徴とする、請求項５に記載の移動式医療用モニター。
【請求項７】
前記パワーステーションの上面には、二つのバッテリーパックの充電量をそれぞれ表示する二つの指示灯が備えられたことを特徴とする、請求項６に記載の移動式医療用モニター。
【請求項８】
前記モニターは、外部の映像装備から発信された映像情報を無線で受信する無線モニターであることを特徴とする、請求項１に記載の移動式医療用モニター。
【請求項９】
前記パワーステーションは、少なくとも一つ以上のバッテリーパックが前記スロットに結合されると、前記モニターに電源を供給することを特徴とする、請求項１に記載の移動式医療用モニター。
【請求項１０】
前記ベースは、前記環状棒が結合される中心部よりも前記移動用車輪が備えられた外周縁の高さが高い段差形状を有し、前記バッテリーパックが結合されたパワーステーションの重心は、前記環状棒よりも前記移動用車輪に近い方に偏重されていることを特徴とする、請求項１に記載の移動式医療用モニター。
【発明の詳細な説明】
【技術分野】
【０００１】
本発明は、医療用モニターに関するもので、特に、外部電源に連結されていない状態でも作動が可能であり、移動用車輪を有するスタンドに装着された状態で自由に移動できる移動式医療用モニターに関するものである。
【背景技術】
【０００２】
医療分野は、人間の健康と生命を取り扱う重要でかつ敏感な分野であるので、多くの分野の最新技術が試験・応用される技術融合の最前線と言える。新素材と新物質を取り扱う化学・生命分野、手術装備はもちろん、手術用ロボットやカプセル型超小型ロボットを開発する機械分野、各種診断・試験機器などを製造する電気・電子分野、医療のユビキタス環境を先導するＩＴ分野などのように、医療分野に適用される技術にはほぼ限界がないと言える。
【０００３】
これらのうち、各種診断・試験機器と密接に関連している電気・電子分野での例を挙げると、患者の疾患状態の診断結果を映像情報で見せるディスプレイ装置が非常に多く使用されている。現在、このようなディスプレイ装置としては、厚さが薄くかつ軽量であるＬＣＤモニターが主に使用されている。
【０００４】
一方、医療現場でディスプレイ装置、すなわち、医療用モニターを使用するときは、使用環境の特殊性を考慮する必要がある。医療的な処置には協業が要求されており、多くの医者や看護婦が比較的限定された空間内で迅速に動くことが頻繁に発生するので、各種医療装備の効率的な空間配置が重要である。特に、医療用モニターで表示される患者の疾患状態の映像情報を正確に判読する必要があるので、医療用モニターは、医療陣の視野に非常に近接した位置に配置されるようになる。
【０００５】
このような配置により、医療用モニターは、他の医療装備に比べて医療陣の動線と交差することが頻繁に発生する。これは、医療用モニターに連結された各種電源線又はデータケーブルなどに人の足が引っ掛かって倒れたり、又はモニターが墜落して破損する事故が発生する可能性が高いことを意味する。さらに、医療陣とモニターとの干渉による事故は、モニターの破損又は医療陣の負傷という１次的な問題のみならず、医療施術を受ける患者の健康と生命にまで影響を及ぼすおそれがある。
【０００６】
また、医療用モニターに外部電源を連結して使用すると、移動性に多くの制約をもたらす。外部電源が準備されていない場所であるか、又は外部電源の引込口とモニターが配置されなければならない地点との間の距離が遠い場合は、医療施術自体が相当不便になる。
【０００７】
しかし、未だに、医療用に特化し、かつ移動自在に製造されたモニターが存在しないので、これを開発することが至急な実情にある。
【発明の概要】
【発明が解決しようとする課題】
【０００８】
したがって、本発明は、モニターを駆動させる電源として外部電源でなく充電式電源を使用することによって、モニターの活用性を極大化できる医療用モニターを提供することを一つの目的とする。
【０００９】
そして、本発明は、充電式電源とモニターを、移動用車輪を有するスタンドに一体に完備することによって、移動性が最大に向上した医療用モニターを提供することを他の一つの目的とする。
【００１０】
特に、本発明は、外部の映像装備から映像情報を受けるための映像情報用ケーブルを有線で接続する必要をなくすことによって、必要な度にモニターの移動が迅速に行われなければならない医療現場の特性に非常に適した起動性が極大化された医療用モニターを提供するという更に他の目的を有する。
【課題を解決するための手段】
【００１１】
本発明に係る移動式医療用モニターは、環状棒、及び前記環状棒の下端に着脱され、多数の移動用車輪が備えられたベースを含むスタンドと、本体の一側に形成された半円状の溝が前記環状棒に挟められて前記ベースの上面に載置され、バッテリーが接続される多数のスロットが備えられたパワーステーションと、前記スロットに結合されるバッテリーパックと、前記環状棒の上部に結合され、前記パワーステーションに連結されて電源を受けるモニターとを含む。
【００１２】
ここで、前記パワーステーションには着脱可能な電源コードが備えられ、前記電源コードが外部電源に連結されると、前記スロットに挟められたバッテリーパックの充電が行われる。
【００１３】
また、前記パワーステーションには、その内部に備えられた弾性部材の復元力によって自動的に巻かれる電源コードが備えられ、前記電源コードが外部電源に連結されると、前記スロットに挟められたバッテリーパックの充電が行われることもある。
【００１４】
そして、前記モニターと前記パワーステーションの電気的連結は、前記環状棒の内部に形成された空間を通して行われることが望ましい。
【００１５】
また、前記多数のスロットは、開閉されるカバーによって保護される前記パワーステーションの内部空間に配置される。
【００１６】
このとき、本発明の実施例において、前記多数のスロットは、前記パワーステーションの左右方向に二つ備えられ、これと共に、前記パワーステーションの上面には二つのバッテリーパックの充電量をそれぞれ表示する二つの指示灯が備えられる。
【００１７】
本発明の実施例において、前記モニターは、外部の映像装備から発信された映像情報を無線で受信する無線モニターであることを特徴とする。
【００１８】
そして、前記パワーステーションは、少なくとも一つ以上のバッテリーパックが前記スロットに結合されると、前記モニターに電源を供給する。
【００１９】
一方、前記ベースは、前記環状棒が結合される中心部よりも前記移動用車輪が備えられた外周縁の高さが高い段差形状を有し、前記バッテリーパックが結合されたパワーステーションの重心は、前記環状棒よりも前記移動用車輪に近い方に偏重されていることが望ましい。
【発明の効果】
【００２０】
前記のような構成を有する本発明は、モニターと充電式電源が一つの移動式スタンドに一体に備えられているので、それぞれの医療施術に最も適した位置にモニターを配置することができ、必要によってモニターを多くの場所に自由に移動させながら使用することができ、医療用として非常に適しているという長所を有する。
【００２１】
特に、本発明に係るモニターは、外部の映像装備から映像情報を受けるための映像情報用ケーブルを有線で接続する必要のない無線モニターであるので、必要な度にモニターの移動が迅速に行われなければならない医療現場の特性に非常に適した起動性が極大化されるという長所を有する。
【図面の簡単な説明】
【００２２】
【図１】本発明に係る移動式医療用モニターを示した斜視図である。
【図２】図１に示した移動式医療用モニターのパワーステーションの内部を示した組立斜視図である。
【発明を実施するための形態】
【００２３】
以下、添付の各図面を参照して本発明に係る医療用モニター１０、特に、移動自在な医療用モニター１０の好適な一実施例を詳細に説明する。
【００２４】
本発明の一実施例を説明するにおいて、当業者であれば自明に理解できる公知の構成についての説明は、本発明の要旨を不明瞭にするおそれがあるので省略する。また、図面を参照するとき、図面に示した各線の太さや構成要素の大きさなどが説明の明瞭性と便宜上、誇張されて図示される場合もあり得ることを考慮しなければならない。
【００２５】
一方、本発明の一実施例を説明するときに使用された前後、左右、上下などの相対的な位置を定義する用語は、添付の図面を基準にする。ただし、このような相対的な位置の定義は、発明の本質的な部分には変更がないので、これと同等な配置に変更可能であることに留意しなければならない。
【００２６】
図１は、本発明に係る移動式医療用モニター１０を示した斜視図で、図２は、図１に示した移動式医療用モニター１０のパワーステーション２００の内部を示した組立斜視図である。
【００２７】
図１及び図２に示すように、本発明に係る医療用モニター１０は、大きくスタンド１００、パワーステーション２００、バッテリーパック３００及びモニター４００を含む。
【００２８】
前記スタンド１００は、環状棒１１０と、前記環状棒１１０の下端に着脱され、多数の移動用車輪１３０が備えられたベース１２０とを含む。これは、一般に病院で広く使用されている移動式スタンドとその構成がほぼ同一であるので、これについての詳細な説明は省略する。ただし、スタンド１００に直立している棒を環状に特定したが、これは、最も一般的な形状を示すことに過ぎなく、棒の形状がこれに限定されることはないことに留意しなければならない。
【００２９】
また、前記パワーステーション２００は、本体の一側に形成された半円状の溝２１０を通して前記環状棒１１０に挟められて前記ベース１２０の上面に載置される。そして、パワーステーション２００の本体には、着脱可能なバッテリーパック３００が電気的に接続される多数のスロット２２０が備えられる。それぞれのスロット２２０にはバッテリーパック３００が結合され、各バッテリーパック３００内の電源は、パワーステーション２００で統合されて管理される。
【００３０】
一方、前記モニター４００は環状棒１１０の上部に結合されるが、体積が小さくかつ軽量で、電力消耗の小さいＬＣＤモニターを使用することが望ましい。モニター４００は、パワーステーション２００に電気的に連結され、電源を受けて駆動される。
【００３１】
ここで、前記パワーステーション２００には電源コード２３０が備えられるが、前記電源コード２３０は着脱可能に構成され、電源コード２３０が外部電源に連結されると、スロット２２０に挟められたバッテリーパック３００の充電が行われたり、又は、電源コード２３０がパワーステーション２００の内部に備えられた弾性部材（図示せず）の復元力によって自動的に巻かれるように構成されることも可能である。もちろん、パワーステーション２００には交流を直流に変換するアダプタ（図示せず）が備えられてもよく、これによって、外部電源によってバッテリーパック３００の充電が行われると同時に、外部電源によってモニター４００が直接駆動する。このような電源管理は、パワーステーション２００で統合的に行われる。
【００３２】
特に、電源コード２３０がパワーステーション２００の内部に備えられた弾性部材（図示せず）の復元力によって自動的に巻かれると、外部電源が連結されていない状態では電源コード２３０がパワーステーション２００の本体内に保管される。このような構成は、モニター４００の周辺に不要なケーブルが散らかることを防止し、施術環境をより整頓する。さらに、モニター４００とパワーステーション２００の電気的連結を、環状棒１１０の内部に形成された空間を通して行うことによって、外部に露出したケーブルをなくすことがより望ましい。
【００３３】
一方、本発明の好適な実施例において、前記多数のスロット２２０は、開閉されるカバー２４０によって保護されるパワーステーション２００の内部空間に配置される。特に、本発明の実施例において、多数のスロット２２０は、パワーステーション２００の左右方向に二つ備えられるが、パワーステーション２００は、少なくとも一つ以上のバッテリーパック３００がスロット２２０に結合されると、モニター４００に電源を供給するようになる。すなわち、多数のスロット２２０が設けられ、そのうち一部のみにバッテリーパック３００が結合されるとしても、電源供給が行われるようになる。
【００３４】
スタンド１００のベース１２０が、図１及び図２に示したように、環状棒１１０が結合される中心部よりも移動用車輪１３０が備えられた外周縁の高さが高い段差形状を有している場合、バッテリーパック３００が結合された状態のパワーステーション２００の重心が環状棒１１０よりも移動用車輪１３０に近い方に偏重されるように設計することが望ましい。例えば、ある程度の重量を有するバッテリーパック３００が挿入される各スロット２２０を移動用車輪１３０の方により近く配置させることによって、このようなパワーステーション２００の重心を偏重させることができる。このような設計によると、パワーステーション２００をスタンド１００のベース１２０により安定的に載置することができる。
【００３５】
そして、パワーステーション２００の上面には、二つのバッテリーパック３００の充電量をそれぞれ表示する二つの指示灯２５０が備えられる。前記指示灯２５０は、バッテリーパック３００の充電量と充電の遂行可否などの情報を知らせる。特に、本発明におけるバッテリーパック３００は、外部の他の充電機器を通して予め充電された後で使用されることもある。
【００３６】
一方、本発明の実施例において、前記モニター４００は、内視鏡のような外部の映像装備から発信された映像情報を無線で受信する無線モニターで構成される。したがって、本発明のモニター４００には、外部の映像装備と連結されたケーブルが全く存在しない。このような構成によると、モニター４００が固定されているスタンド１００の起動性が極大化されるので、本発明は、必要な度にモニター４００の移動が迅速に行わなければならない医療現場の特性に非常に適しているという長所を有する。多様な種類の無線モニターは、市場で探すことができるので、これについての詳細な説明は省略する。
【００３７】
以上、本発明の好適な実施例を図示して説明したが、本発明の属する技術分野で通常の知識を有する当業者であれば本発明の原則や精神から逸脱しない範囲で本実施例を変形可能であることを理解できるだろう。したがって、本発明の権利範囲は、添付の請求項とその均等物によって定めなければならない。
【符号の説明】
【００３８】
１０：移動式医療用モニター、１００：スタンド、１１０：環状棒、１２０：ベース、１３０：移動用車輪、２００：パワーステーション、２１０：溝、２２０：スロット、２３０：電源コード、２４０：カバー、２５０：指示灯、３００：バッテリーパック、４００：モニター
【図１】
0005228082.tif 000002
【図２】
0005228082.tif 000003